(57)【特許請求の範囲】
【請求項１】
幅寸法２０〜４０ｍｍ、長さ寸法１２０〜１８０ｍｍに設定され第１の肌色系列を示す帯状の肌色見本シートと、上記肌色見本シートと同一形状に設定され第２の肌色系列を示す帯状の肌色見本シートとが、互いに重ねられ長手方向の一端部で綴じ合わせられており、上記第１のシートの長手方向他端部に、第１の肌色系列を特定する肌色に着色された着色部が設けられ、上記第１のシートの他の部分に、その第１の肌色系列に属する肌色であって互いに明度の異なる複数の肌色が、長手方向に並んだ状態で表示されているとともに、その長手方向に並んだ各肌色を表示する部分のそれぞれに、切欠き孔が形成されており、上記第２のシートの長手方向他端部に、第２の肌色系列を特定する肌色に着色された着色部が設けられ、上記第２のシートの他の部分に、その第２の肌色系列に属する肌色であって互いに明度の異なる複数の肌色が、長手方向に並んだ状態で表示されているとともに、その長手方向に並んだ各肌色を表示する部分のそれぞれに、切欠き孔が形成されていることを特徴とする肌色見本具。
【請求項２】
上記肌色見本シートが３枚組み合わせられており、各肌色見本シートに、ＹＯ系列の肌色見本と、ＯＣ系列の肌色見本と、ＰＯ系列の肌色見本が、それぞれ表示されている請求項１記載の肌色見本具。
【発明の詳細な説明】
【０００１】
【発明の属する技術分野】
本発明は、化粧品販売店等において、化粧品の販売促進に用いられる肌色見本具に関するものである。
【０００２】
【従来の技術】
従来から、化粧品販売では、専門の販売員が、店頭あるいは訪問販売先で、顧客の肌の状態や要望を聞きながらカウンセリングを行ったのち、適宜の化粧品を選んで推奨し販売することが行われている（カウンセリング方式）。また、最近では、販売員との問答やカウンセリングを疎ましく感じる顧客や、短時間で自分の判断に基づいて商品選択を行いたい顧客のために、顧客自身が、棚から化粧品を選択して購入する方式（セルフ方式）が提案され、コンビニエンスストア等で実施されている。
【０００３】
そして、上記カウンセリング方式にしろ、セルフ方式にしろ、化粧品販売店の店頭には、大量の試供品が用意されており、顧客は、販売員とやりとりしながら、あるいは自分自身で選択しながら、上記試供品を自分の肌に塗布し、その色や塗布具合を確かめた上で、化粧品購入を決定することが多い。
【０００４】
【発明が解決しようとする課題】
しかしながら、顔の肌に塗るファンデーションや口紅等のメイクアップ化粧料は、実際に顔に塗布したり拭き取ったりする作業が煩わしいため、通常は、顧客が自分の手の甲に試供品を塗ってその色味を確かめているにすぎない。ところが、手の色は顔の色と異なるため、その試供品の色が本当に自分に適した色であるかどうかを判断することがむずかしい。したがって、顧客自身にとって、充分に納得して、自分に合ったファンデーションや口紅等のメイクアップ化粧料を選択することがむずかしい、という問題がある。
【０００５】
本発明は、このような事情に鑑みなされたもので、顧客が自分の顔の色を客観的に把握することができ、その色に適したメイクアップ化粧料を選択することのできる肌色見本具の提供をその目的とする。
【０００６】
【課題を解決するための手段】
上記の目的を達成するため、本発明は、幅寸法２０〜４０ｍｍ、長さ寸法１２０〜１８０ｍｍに設定され第１の肌色系列を示す帯状の肌色見本シートと、上記肌色見本シートと同一形状に設定され第２の肌色系列を示す帯状の肌色見本シートとが、互いに重ねられ長手方向の一端部で綴じ合わせられており、上記第１のシートの長手方向他端部に、第１の肌色系列を特定する肌色に着色された着色部が設けられ、上記第１のシートの他の部分に、その第１の肌色系列に属する肌色であって互いに明度の異なる複数の肌色が、長手方向に並んだ状態で表示されているとともに、その長手方向に並んだ各肌色を表示する部分のそれぞれに、切欠き孔が形成されており、上記第２のシートの長手方向他端部に、第２の肌色系列を特定する肌色に着色された着色部が設けられ、上記第２のシートの他の部分に、その第２の肌色系列に属する肌色であって互いに明度の異なる複数の肌色が、長手方向に並んだ状態で表示されているとともに、その長手方向に並んだ各肌色を表示する部分のそれぞれに、切欠き孔が形成されている肌色見本具を第１の要旨とする。
【０００７】
また、本発明は、そのなかでも、特に、上記肌色見本シートが３枚組み合わせられており、各肌色見本シートに、ＹＯ系列の肌色見本と、ＯＣ系列の肌色見本と、ＰＯ系列の肌色見本が、それぞれ表示されている肌色見本具を第２の要旨とする。
【０００８】
【発明の実施の形態】
つぎに、本発明の実施の形態について説明する。
【０００９】
図１は本発明の肌色見本具の一実施の形態を示している。
【００１０】
この肌色見本具１は、主としてファンデーション購入を希望する顧客のために用意されるもので、３枚の同一形状の肌色見本シート２〜４を重ねて、左端部を開閉式のリング５で綴じた構成になっている。
【００１１】
上記３枚の肌色見本シート２〜４は、いずれも厚み０．２ｍｍの透明プラスチックシート（例えば塩化ビニル製）からなり、その形状は、幅２７ｍｍ、長さ１５４ｍｍの帯状体である。そして、上記帯状体の左右の端部は、半円状にＲが付けられている。
【００１２】
まず、１枚目の肌色見本シート２について説明する。この肌色見本シート２は、右端の略半円状部分６が、やや黄色がかった肌色に着色されており、そこに白抜きで、「ＹＯ」の見出し７が表示されている。「ＹＯ」は「イエローオークル」の略で、黄色がかった肌色系列を示す象徴記号として、化粧品メーカーがファンデーションカラーの表示に用いているものである。この見出し７により、この肌色見本シート２は、黄色がかった肌色系列に属する肌色の色見本を表示するものであることがわかる（以下、この肌色系列を「ＹＯ系列」という）。なお、他の肌色系列として、「ＯＣ」（オークルを略した象徴記号）で示される標準的な肌色系列（「ＯＣ系列」）と、「ＰＯ」（ピンクオークルを略した象徴記号）で示される赤色がかった肌色系列（「ＰＯ系列」）とがあげられる。
【００１３】
そして、上記肌色見本シート２の中央部には、長手方向に４色の肌色が並んで表示されており、それぞれの肌色表示部分８〜１１に、切欠き穴１２が形成されている。
【００１４】
また、上記４色の肌色表示部分８〜１１には、向かって左から順に、「Ｅ１」、「Ｄ１」、「Ｃ１」、「Ｂ１」の文字が付記されている。これも、化粧品メーカーが用いている象徴記号で、一つの肌色系列（この場合、ＹＯ系列）において、明度の異なる肌色を区別するためのものである。すなわち、「Ｃ１」はその肌色系列における標準色、「Ｄ１」は標準色よりも１段階明度の低いもの、「Ｅ１」はさらに１段階明度の低いもの、「Ｂ１」は標準色よりも１段階明度の高いものを示している。なお、肌色見本シート２の右端の、略半円状部分６の着色には、「Ｄ１」で示される肌色と同一の肌色が用いられている。
【００１５】
上記肌色見本シート２を左側にめくって裏にすると、裏側の面にも、図２に示すように、表側と同様の肌色着色部が設けられている。ただし、その配置は、表側と左右反対になっており、左端の略半円状部分６′に「ＹＯ」の見出し７が表示されている。また、肌色の表示部分８′〜１１′は、向かって左から「Ｂ１」、「Ｃ１」、「Ｄ１」、「Ｅ１」と並んでいる。したがって、この肌色見本シート２を、表面を利用して、左側から顔に当てても、裏面を利用して、右側から顔に当てても、顔の色と肌色表示部分８〜１１、８′〜１１′を対比させやすいようになっている。
【００１６】
つぎに、２枚目の肌色見本シート３について説明する。この肌色見本シート３も、図３に示すように、上記１枚目の肌色見本シート２と同様、右端の略半円状部分６ａが肌色に着色され、中央部に、長手方向に並ぶ４色の肌色表示部分１３〜１６を備えている。ただし、上記略半円状部分６ａは、前記１枚目の肌色見本シート２のそれとは異なり、ほぼ標準的な肌色で着色されており、そこに、白抜きで「ＯＣ」の見出し７ａが表示されている。したがって、この肌色見本シート３は、ＯＣ系列に属する肌色の色見本を表示するものであることがわかる。
【００１７】
また、上記肌色見本シート３の中央部に並ぶ４色の肌色は、黄色がかったものでも赤色がかったものでもない、ＯＣ系列に属する肌色である点では、前記肌色見本シート２とは異なるが、向かって左から順に、「Ｅ１」、「Ｄ１」、「Ｃ１」、「Ｂ１」の文字が付記され、明暗の程度が異なるよう設定されている点、またそれぞれに切欠き穴１２が形成されている点において、前記肌色見本シート２と同一の構成になっている。なお、上記肌色見本シート３の裏面の構成も、前記肌色見本シート２の裏面に準じた構成になっている。
【００１８】
つぎに、３枚目の肌色見本シート４について説明する。この肌色見本シート４も、図４に示すように、上記肌色見本シート２，３と同様、右端の略半円状部分６ｂが肌色に着色されているが、その色は、やや赤色がかった肌色である。そして、そこに、白抜きで「ＰＯ」の見出し７ｂが表示されている。したがって、この肌色見本シート４は、ＰＯ系列に属する肌色の色見本を表示するものであることがわかる。
【００１９】
そして、この肌色見本シート４の右よりの部分には、長手方向に２色の肌色が並んで表示されており、それぞれの肌色表示部分１７，１８に、切欠き穴１２が形成されている。また、この肌色見本シート４の裏面の構成は、前記肌色見本シート２，３の裏面に準じた構成になっている。
【００２０】
上記肌色表示部分１７，１８に表示された肌色は、「Ｃ１」の文字が付記された標準色と、「Ｂ１」の文字が付記された、それより１段階明度の高い色の２色である。ＹＯ系列、ＯＣ系列に表示されていた「Ｅ１」、「Ｄ１」に相当する、明度の低い肌色については表示されていない。ＰＯ系列において、標準色よりも明度の低い肌色は、日本人にはきわめて少ないからである。
【００２１】
上記肌色見本具１は、例えばつぎのようにして用いることができる。すなわち、化粧品販売店の店頭や訪問販売先等において、ファンデーションや口紅等のメイクアップ化粧料を購入しようとする顧客に対し、専門カウンセラーは、まず、顧客の顔色がどんな肌色であるかを客観的に特定することを勧める。そして、顧客を鏡の前に導き、顧客が自分の顔を見ることができるようにした上で、図５に示すように、顧客の顔に、上記肌色見本具１を当てる。
【００２２】
このとき、３枚の肌色見本シート２〜４の端部の、肌色に着色された略半円状部分６，６ａ，６ｂを順次顔に当て、顔の色がＹＯ系列、ＯＣ系列、ＰＯ系列のいずれの系列に属する肌色であるかを判断する。そして、顔の色に最も近い系列を特定し、その肌色見本シート（例えばＹＯ系列の肌色見本シート２）を取り出して、肌色見本表示部分８〜１１を順次顔に当てて、切欠き穴１２から覗く顔の色と、その周囲の肌色見本とを対比させながら、どの肌色が最も近いかを判断する。
【００２３】
これらの判断は、カウンセラーが顧客とやりとりしながら行う。そして、最終的に特定された肌色の記号（例えばＥ１と表示された肌色）によって、顧客の顔の色を、例えばＹＯ−Ｅ１、と特定し、その肌色に適した色のファンデーションや口紅等のメイクアップ化粧料を、顧客に推奨する。なお、カウンセラーは、手元に、肌色の種類別に、その肌色に適したファンデーションや口紅等のメイクアップ化粧料をまとめた情報シートを持っておくことにより、上記推奨をスムーズに行うことができる。
【００２４】
このように、上記肌色見本具１を用いることにより、顧客は、自分の顔を汚すことなく、簡単に顔の色を客観的に特定することができるため、顧客は、短時間で、自分に適したメイクアップ化粧料を選択し購入することができる。また、カウンセラーとのやりとりを介さなくても、セルフ方式の店舗等において、上記肌色見本具１を常備しておけば、顧客自身が鏡の前で上記肌色見本具１を顔に当てることにより、簡単に、自分の顔の色を特定することができる。
【００２５】
なお、上記の例では、肌色見本シート２〜４として、透明プラスチックシートを用いているが、その材質は、厚紙等、剛性シートであればどのようなものであっても差し支えはない。ただし、その表面を顔に当てるものであるから、汚れを拭き取ったり洗浄したりしやすいように、プラスチックシートを用いることが好適である。
【００２６】
そして、その形状，寸法は、長手方向に肌色見本が並んだ帯状体であって、その幅寸法が２０〜４０ｍｍ、長さ寸法が１２０〜１８０ｍｍの範囲内にあるものでなければならない。すなわち、この寸法のものが、手に持って顔に当てたりずらしたりする動作を行いやすいからである。
【００２７】
また、上記の例では、３枚の肌色見本シート２〜４を組み合わせて、ＹＯ系列とＯＣ系列とＰＯ系列の３系列の肌色見本を表示するようにしたが、肌色見本シートの枚数は２枚に限らず、２種類以上の肌色系列の肌色群を、上記の例のように肌色系列ごとに分けて表示することができる。このように、肌色系列ごとに分けて複数の肌色見本シートを用意することにより、多数の肌色見本をコンパクトにまとめることができ、肌色の特定を容易に行うことができる。なお、一枚の肌色見本シートに、何種類の肌色見本を表示するかは適宜に設定することができる。
【００２８】
さらに、上記の例では、３枚の肌色見本シート２〜４を片方の端部でリング５で綴じ合わせているが、これらを必ずしもリング５で綴じる必要はなく、その綴じ合わせ形態は特に限定されない。
【００２９】
【発明の効果】
以上のように、本発明の肌色見本具によれば、カウンセラーや顧客自身がこれを顧客の顔に当てて、顔の色と肌色見本とを対比することにより、顧客の顔の色を、顧客自身が客観的に把握することができる。したがって、顧客が、顔を汚すことなく、短時間で、自分の顔の色を納得した上で、その色に適した化粧料を選択することができるという効果を奏する。
【００３０】
特に、本発明では、肌色見本シートごとに異なる肌色系列の肌色群を並べて表示した肌色見本シートを組み合わせているため、多数の肌色見本がコンパクトにまとめられ、取扱いやすい。したがって、上記効果がさらに有効に発揮される、という利点を有する。
【００３１】
そして、肌色見本具に用いる肌色見本シートを、幅寸法２０〜４０ｍｍ、長さ寸法１２０〜１８０ｍｍに設定し、互いに重ねて長手方向の一端部で綴じ合わせているため、手に持って顔に当てたりずらしたりする動作が行いやすいという効果を奏する。
【図面の簡単な説明】
【図１】本発明の肌色見本具の一実施例の説明図である。
【図２】上記実施例に用いる１枚目の肌色見本シートの裏面を部分的に示す説明図である。
【図３】上記実施例に用いる２枚目の肌色見本シートの説明図である。
【図４】上記実施例に用いる３枚目の肌色見本シートの説明図である。
【図５】上記実施例の使用態様の説明図である。
【符号の説明】
１  肌色見本具
２〜４  肌色見本シート
８〜１１  肌色表示部分
１２  切欠き穴
【図１】
0003576793.tif 000002
【図２】
0003576793.tif 000003
【図３】
0003576793.tif 000004
【図４】
0003576793.tif 000005
【図５】
0003576793.tif 000006